(57)【要約】【課題】記録装置内に大量に氾濫しているコンテンツを、ユーザの嗜好に基づいて短時間で効率よく視聴することができるＴＶ放送録画装置を提供する。【解決手段】ＴＶ放送録画装置において、チューナ部１３０と、番組表データ受信手段３１０と、番組記録手段３２０と、録画番組一覧表示手段３６０と、番組嗜好蓄積手段３３０と、未視聴番組検出手段３４０と、未視聴番組の番組情報２３０および嗜好データ２１０に基づいて、ユーザの嗜好の嗜好ポイントを算出し、その嗜好ポイントの高い順で、未視聴番組を順序付けする嗜好順序判定手段３５０とを備え、ユーザからの未視聴番組の連続再生の指示があると、嗜好順序判定手段３５０で順序付けされた順番で、未視聴番組を連続して再生する。【選択図】図１
2008066777.tif 000002
【特許請求の範囲】
【請求項１】
ＴＶ放送を受信する放送受信手段と、
番組表データを受信する番組表データ受信手段と、
前記放送受信手段で受信した前記ＴＶ放送の番組を番組単位でその番組情報と共に記録媒体に保存する番組記録手段と、
前記記録媒体に保存されている番組の一覧を表示する録画番組一覧表示手段と、
ユーザの前記ＴＶ放送の番組に対する嗜好情報を蓄積する番組嗜好蓄積手段と、
前記記録媒体に保存された番組の中で、未視聴番組を検出する未視聴番組検出手段と、
前記未視聴番組検出手段で検出された未視聴番組の番組情報および前記番組嗜好蓄積手段により蓄積された前記嗜好情報に基づいて、前記ユーザの嗜好の適合割合を算出し、その適合割合の順番で、前記未視聴番組を順序付けする嗜好順序判定手段を備え、
前記ユーザからの未視聴番組の連続再生の指示があると、
前記嗜好順序判定手段で順序付けされた順番で、前記未視聴番組を連続して再生することを特徴とするＴＶ放送録画装置。
【請求項２】
請求項１記載のＴＶ放送録画装置において、
前記番組のハイライトを検出し、検出したハイライト部分のみのダイジェスト再生を行うハイライト再生手段を備え、
前記ユーザからの未視聴番組のダイジェスト連続再生の指示があると、前記ハイライト再生手段により、前記嗜好順序判定手段で順序付けされた順番で、前記未視聴番組を連続してダイジェスト再生することを特徴とするＴＶ放送録画装置。
【請求項３】
請求項１または２記載のＴＶ放送録画装置において、
前記録画番組一覧表示手段は、前記未視聴番組の一覧を表示する際、前記嗜好順序判定手段で順序付けされた順番で一覧表示することを特徴とするＴＶ放送録画装置。
【請求項４】
請求項１または２記載のＴＶ放送録画装置において、
前記未視聴番組を連続してダイジェスト再生した後、ダイジェスト再生した未視聴番組の情報を前記嗜好情報として前記番組嗜好蓄積手段に蓄積することを特徴とするＴＶ放送録画装置。
【請求項５】
請求項４記載のＴＶ放送録画装置において、
前記ユーザからの停止またはスキップの指示により、前記ダイジェスト再生を途中で停止した際、前記未視聴番組のダイジェスト再生の全体の時間に対する停止までの時間の割合が、予め設定されたしきい値以下の場合は、前記ダイジェスト再生した未視聴番組の情報を前記嗜好情報として前記番組嗜好蓄積手段に蓄積しないことを特徴とするＴＶ放送録画装置。
【請求項６】
請求項１または２記載のＴＶ放送録画装置において、
前記未視聴番組を連続してダイジェスト再生する際、前記未視聴番組の番組情報に基づいて、前記ハイライト再生手段によるハイライト部分検出の検出設定およびダイジェスト再生時間の設定を変更することを特徴とするＴＶ放送録画装置。
【発明の詳細な説明】
【技術分野】
【０００１】
本発明は、ＴＶ放送を録画し再生することが可能なＴＶ放送録画装置に関し、特に、録画した未視聴の番組の効率の良い視聴に関するものである。
【背景技術】
【０００２】
近年、ハードディスクレコーダーや録画機能付ＰＣに搭載されているハードディスクの大容量化が進み、かつ搭載チューナを複数にすることにより、従来の「見たい番組のみ録画する」考え方から、「見るかもしれない番組を録画する」ひいては「全部録画する」といった考え方で番組を録画していくユーザが多くなってきており、それに伴い録画されたコンテンツの量は増加する一方である。
【０００３】
このように録画コンテンツの量は増加するものの、それを視聴できる時間は限られていることから、短時間で効率的に録画コンテンツを視聴する仕組みの要求は非常に大きいものとなっている。
【０００４】
このような状況に鑑み、例えば、特開２００５−３１２０２３号公報（特許文献１）に記載のように、録画された各番組が閲覧される際の閲覧操作履歴を蓄積し、閲覧操作履歴から番組の閲覧集中度を算出し、ユーザの嗜好を抽出して、番組を選択する装置が提案されている。
【特許文献１】特開２００５−３１２０２３号公報
【発明の開示】
【発明が解決しようとする課題】
【０００５】
しかしながら、特許文献１に提案されている装置は、番組の視聴時の閲覧操作履歴からユーザの嗜好を抽出して、番組の選択を行うものであり、記録装置内に大量に氾濫しているコンテンツを短時間で効率よく視聴するような場合には、ユーザによる早送りなどの閲覧操作などが必要であった。
【０００６】
そこで、本発明の目的は、記録装置内に大量に氾濫しているコンテンツを、ユーザの嗜好に基づいて短時間で効率よく視聴することができるＴＶ放送録画装置を提供することにある。
【課題を解決するための手段】
【０００７】
本願において開示される発明のうち、代表的なものの概要を簡単に説明すれば、次のとおりである。
【０００８】
本発明によるＴＶ放送録画装置は、ＴＶ放送を受信する放送受信手段と、番組表データを受信する番組表データ受信手段と、放送受信手段で受信したＴＶ放送の番組を番組単位でその番組情報と共に記録媒体に保存する番組記録手段と、記録媒体に保存されている番組の一覧を表示する録画番組一覧表示手段と、ユーザのＴＶ放送の番組に対する嗜好情報を蓄積する番組嗜好蓄積手段と、記録媒体に保存された番組の中で、未視聴番組を検出する未視聴番組検出手段と、未視聴番組検出手段で検出された未視聴番組の番組情報および番組嗜好蓄積手段により蓄積された嗜好情報に基づいて、ユーザの嗜好の適合割合を算出し、その適合割合の順番で、未視聴番組を順序付けする嗜好順序判定手段を備え、ユーザからの未視聴番組の連続再生の指示があると、嗜好順序判定手段で順序付けされた順番で、未視聴番組を連続して再生するものである。
【０００９】
また、本発明によるＴＶ放送録画装置は、番組のハイライトを検出し、検出したハイライト部分のみのダイジェスト再生を行うハイライト再生手段を備え、ユーザからの未視聴番組のダイジェスト連続再生の指示があると、ハイライト再生手段により、嗜好順序判定手段で順序付けされた順番で、未視聴番組を連続してダイジェスト再生するものである。
【発明の効果】
【００１０】
本願において開示される発明のうち、代表的なものによって得られる効果を簡単に説明すれば以下のとおりである。
【００１１】
本発明によれば、内蔵記録装置内に格納された録画番組の内、未視聴の録画番組を、ユーザの嗜好データに基づいた嗜好ポイントの高い順に一覧表示し、その未視聴の一覧表示された録画番組を嗜好ポイントの高い順に連続して再生するため、記録装置内に大量に氾濫しているコンテンツを、ユーザの嗜好に基づいて短時間で効率よく視聴することができる。
【発明を実施するための最良の形態】
【００１２】
以下、本発明の実施の形態を図面に基づいて詳細に説明する。なお、実施の形態を説明するための全図において、同一の部材には原則として同一の符号を付し、その繰り返しの説明は省略する。
【００１３】
＜ＴＶ放送録画装置の構成＞
図１により、本発明の一実施の形態に係るＴＶ放送録画装置の構成について説明する。図１は本発明の一実施の形態に係るＴＶ放送録画装置の構成を示す構成図である。
【００１４】
図１において、ＴＶ放送録画装置は、入力部１００、表示部１１０、通信部１２０、チューナ部１３０、記録媒体である内蔵記録装置２００、システムプロセッサ３００から構成されている。
【００１５】
また、内蔵記録装置２００内には、ユーザの番組に対する嗜好情報が格納された嗜好データ２１０、録画した番組が格納された録画番組２２０、録画番組２２０に対応した番組情報が格納された番組情報２３０、番組表データ２４０が格納されている。
【００１６】
また、システムプロセッサ３００は、番組表データ受信手段３１０、番組記録手段３２０、番組嗜好蓄積手段３３０、未視聴番組検出手段３４０、嗜好順序判定手段３５０、録画番組一覧表示手段３６０、ハイライト再生手段３７０を有している。
【００１７】
番組表データ受信手段３１０は、通信部１２０を用い、インターネットや放送波等から複数日分の番組表データを受信し、内蔵記録装置２００に番組表データ２４０として格納する。
【００１８】
番組記録手段３２０は、チューナ部１３０より受信した放送波を録画し、番組表データ２４０より取得した当該番組の番組情報と共に、内蔵記録装置２００に録画番組２２０および番組情報２３０として格納する。
【００１９】
番組嗜好蓄積手段３３０は、入力部１００よりユーザからの番組視聴指示などがあった場合に、番組表データ２４０より当該番組の番組情報を取得して、その中のキーとなる情報を嗜好データ２１０として内蔵記録装置２００に格納する。
【００２０】
未視聴番組検出手段３４０は、内蔵記録装置２００内の全ての録画番組２２０に付属している番組情報２３０より、例えば、再生済時間が０である番組情報２３０を取得して、未視聴番組リストを作成する。
【００２１】
嗜好順序判定手段３５０は、未視聴番組リスト内の各番組情報に対して、それぞれ嗜好データ２１０に格納されている情報との適合割合を分析し、嗜好ポイントとして格納し、嗜好ポイントの順序で未視聴番組リスト内の番組の並び換えを行い嗜好順序リストを作成する。
【００２２】
この嗜好順序判定手段３５０で使用される嗜好ポイントは、例えば、嗜好データ２１０として、ユーザが視聴した録画番組について、その録画番組の番組情報などから、キーワードを抽出して格納し、その嗜好データ２１０として格納されたキーワードと、嗜好ポイントを取得する録画番組２２０の番組情報２３０との適合割合を分析するなどして算出されている。
【００２３】
また、嗜好データ２１０として、ユーザの録画番組に対する嗜好履歴を格納し、この嗜好履歴と嗜好ポイントを取得する録画番組２２０の番組情報２３０との適合割合を分析するなどして算出することも可能である。
【００２４】
なお、嗜好ポイントの算出については、これに限らず、ユーザの録画予約時の番組情報も嗜好データ２１０の参考データとして追加したり、ユーザが、録画せずにリアルタイムで視聴している番組の番組情報も参考データとして追加して、その参考データも含めて嗜好ポイントを算出するようにしてもよい。
【００２５】
さらに、録画予約時に、おすすめの番組情報からユーザが録画予約した場合や、ユーザ自ら、電子番組表から録画予約した場合や、おすすめの情報や、ユーザの指定したキーワードによる自動録画予約などで録画予約した場合などで、重み付けなどを行い、参考データとしてのデータの重み付けを考慮した嗜好ポイントを算出するようにしてもよく、録画番組の視聴時の情報としても、これらの重み付けを考慮するようにしてもよい。
【００２６】
また、その他、ユーザの録画番組の視聴方法などによる情報などを追加するなど、さまざまな方法により算出するようにしてもよい。
【００２７】
録画番組一覧表示手段３６０は、表示部１１０上に、内蔵記録装置２００内に格納された録画番組２２０の全てまたは一部の番組名を明記して一覧表示したり、嗜好順序リストより番組名を明記して嗜好順序リストのリスト順に一覧表示を行う。
【００２８】
ハイライト再生手段３７０は、録画番組２２０のデータにおける画像情報の重要度を解析し、重要度の高いハイライトシーンのみをダイジェスト再生する。
【００２９】
＜ＴＶ放送録画装置で使用されるデータの一例＞
次に、図２〜図４により、本発明の一実施の形態に係るＴＶ放送録画装置で使用されるデータの一例について説明する。図２は本発明の一実施の形態に係るＴＶ放送録画装置の内蔵記録装置内に格納される番組情報の一例を示す図、図３は本発明の一実施の形態に係るＴＶ放送録画装置の未視聴番組検出手段が作成する未視聴番組リストの一例を示す図、図４は本発明の一実施の形態に係るＴＶ放送録画装置の嗜好順序判定手段が作成する嗜好順序リストの一例を示す図である。
【００３０】
内蔵記録装置２００内に格納される番組情報２３０の一例としては、図２に示すように、ファイル名は、例えば、内蔵記録装置２００内に格納される録画番組２２０のファイル名（２００６０５３１２１００＿８．ｍｐｇ）と拡張子が異なるファイル名（２００６０５３１２１００＿８．ｅｐｇ）であり、そのファイル内の情報は、例えば、タイトル、ジャンル、再生ファイル名、再生時間、内容の情報が格納されている。
【００３１】
また、未視聴番組検出手段３４０により作成される未視聴番組リストは、図３に示すように、各未視聴の番組に関して、例えば、ジャンル、番組名、ファイル名、内容の情報がリストされている。
【００３２】
また、嗜好順序判定手段３５０により作成される嗜好順序リストは、図４に示すように、各未視聴の番組に関して、嗜好ポイントの高い順にリストされている。
【００３３】
＜一覧表示の一例＞
次に、図５により、本発明の一実施の形態に係るＴＶ放送録画装置の表示部上に表示される一覧表示の一例について説明する。図５は本発明の一実施の形態に係るＴＶ放送録画装置の表示部上に表示される一覧表示の一例を示す図である。
【００３４】
ＴＶ放送録画装置の表示部１１０上に表示される一覧表示としては、例えば、図５に示すように、フォルダ表示エリア１、録画番組表示エリア２が表示され、フォルダ表示エリア１には、カテゴリや出演者名別などに録画番組２２０を分類して格納することができるフォルダが表示され、本実施の形態では、このフォルダとして未視聴フォルダを追加し、この未視聴フォルダを選択することにより、録画済の番組の中で、未視聴の番組のみを一覧表示することができる。
【００３５】
このフォルダ表示エリア１内のフォルダは、例えば、フォルダ追加ボタン１０やフォルダ削除ボタン１１により、フォルダの追加および削除することができ、更新ボタン１２により、フォルダ内の録画番組２２０の情報を更新することができる。
【００３６】
また、録画番組表示エリア２内には、各フォルダ内の録画番組２２０のサムネイル表示３および番組情報表示４が表示される。
【００３７】
この録画番組表示エリア２内の各録画番組２２０については、例えば、詳細ボタン２１により、録画番組２２０の詳細な番組情報を表示させたり、削除ボタン２２により削除したり、ＳＤ書き込みボタン２３やディスク作成ボタン２４により、外部記憶メディアに録画番組２２０をダビングやムーブを行うことができる。
【００３８】
図５に示す例では、フォルダ表示エリア１にて未視聴フォルダが選択された状態で、録画番組表示エリア２には、未視聴の録画番組２２０のみが表示され、さらに、後述する嗜好ポイントに基づいて、並び換えが行われており、表示順は、嗜好ポイントが高い順に表示されている。
【００３９】
また、この一覧表示上で、ユーザが、表示された録画番組２２０を選択して、例えば、再生ボタン２５により録画番組２２０の再生を開始させたり、ダイジェスト再生ボタン２６により録画番組２２０のハイライトのみを短縮再生させたり、通常の再生やダイジェストの再生と共に、連続再生指定ボタン２７により、選択された録画番組２２０の連続再生やダイジェストのみの連続再生を行ったり、フォルダ内連続再生指定ボタン２８により、フォルダ内の全ての録画番組２２０について、連続再生や、ダイジェストのみの連続再生を行うことができる。
【００４０】
＜ＴＶ放送録画装置の動作＞
次に、図６により、本発明の一実施の形態に係るＴＶ放送録画装置の動作について説明する。図６は本発明の一実施の形態に係るＴＶ放送録画装置の未視聴番組を連続再生する際の動作を示すフローチャートである。
【００４１】
図６に示す例は、図５に示すような一覧表示において、未視聴フォルダが選択され、その未視聴フォルダ内の全ての録画番組２２０がダイジェスト再生指示された場合の動作を示している。
【００４２】
図６に示すように、まず、ユーザにより、録画番組一覧表示指示があると（Ｓ１００）、例えば、図５に示すような一覧表示画面を表示部１１０に表示する。
【００４３】
そして、ユーザにより、未視聴フォルダが選択されると、未視聴番組検出手段３４０により、未視聴番組が検索され、未視聴番組リストが作成される（Ｓ１１０）。
【００４４】
そして、嗜好順序判定手段３５０により、未視聴番組リスト内の各番組情報に基づいて、嗜好ポイントを取得し（Ｓ１２０）、未視聴番組リストの内容を嗜好ポイント順に並び換え（Ｓ１３０）、嗜好ポイント順に並び換えた嗜好順序リストを作成する（Ｓ１４０）。
【００４５】
そして、ユーザにより、ダイジェスト再生指示（Ｓ１５０）およびフォルダ内連続再生指示（Ｓ１６０）があると、嗜好順序リストから、先頭番組を取得し（Ｓ１７０）、ハイライト再生手段３７０により、取得番組のダイジェスト再生を開始する（Ｓ１８０）。
【００４６】
そして、再生終了かまたはユーザによる停止指示があるかを判断し（Ｓ１９０）、Ｓ１９０で、ユーザからの停止指示があったと判断されると、全体の半分を再生済か否かを判断し（Ｓ２００）、Ｓ２００で全体の半分を再生していないと判断されると、ユーザの嗜好データ２１０としては、追加せずに再生を終了し、Ｓ２００で全体の半分を再生したと判断されると、再生した録画番組２２０のデータを嗜好データ２１０として追加して（Ｓ２１０）、再生を終了する。
【００４７】
また、Ｓ１９０で再生終了であると判断されると、再生した録画番組２２０のデータを嗜好データ２１０として追加して（Ｓ２２０）、嗜好順序リストから、次の番組を取得し（Ｓ２３０）、嗜好順序リスト内の全番組の再生が終了したか否かを判断する（Ｓ２４０）。
【００４８】
Ｓ２４０で全番組の再生が終了していないと判断されるとＳ１８０に戻り、Ｓ２３０で取得された番組のダイジェスト再生を開始し、Ｓ２４０で全番組の再生が終了したと判断されると、再生を終了する。
【００４９】
以上のように、本実施の形態では、内蔵記録装置２００内に格納された録画番組２２０の内、未視聴の録画番組２２０を、ユーザの嗜好データ２１０に基づいた嗜好ポイントの高い順に一覧表示し、その未視聴の一覧表示された録画番組２２０を嗜好ポイントの高い順に連続してダイジェスト再生するため、内蔵記録装置２００内に大量に氾濫しているコンテンツを、ユーザの嗜好に基づいて短時間で効率よく視聴することが可能となる。
【００５０】
また、ダイジェスト再生において、ユーザがある録画番組に対して、全体の半分を再生していないで終了した録画番組については、ユーザの嗜好データ２１０としては追加しないため、ユーザの嗜好とは関係ない可能性の高い録画番組のデータは嗜好データ２１０として追加されず、嗜好データ２１０として精度の良いデータとすることが可能である。
【００５１】
上記説明では、未視聴番組のフォルダ内連続再生をダイジェスト再生ににより行う例を説明したが、録画番組の連続再生を行う場合について詳細に説明する。この場合の処理は、図６の処理フローの（Ｓ１５０）を「連続再生指示」、（Ｓ１８０）を「取得番組の連続再生開始」に読み変えて行う。
【００５２】
連続再生開始（Ｓ１８０）の後に、再生中の録画番組の再生終了かまたはユーザによる停止指示があるかを判断し（Ｓ１９０）、ユーザからの停止指示があったと判断されると、それまでの視聴量を判断して、当該録画番組の嗜好データの更新を行うようにする。これにより、録画番組の連続再生でもダイジェスト再生と同様に短時間に録画済の未視聴番組の視聴が可能となり、嗜好データの更新も行うことができる。
【００５３】
なお、視聴中断した録画番組の嗜好データの更新を（Ｓ２００）では、半分再生としているが、しきい値をダイジェスト再生と連続再生の場合で異なるようにしてもよい。特にしきい値を大きくするほど嗜好データの精度を向上させることができる。
【００５４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００５５】
例えば、本実施の形態では、未視聴番組について、嗜好順序リストの順番で連続してダイジェスト再生する例で説明したが、嗜好順序リストの中で、例えば、ジャンル毎にまとめて、同一ジャンル内で嗜好ポイントの高い順序にダイジェスト再生するようにしてもよい。
【００５６】
この際、表示部１１０への一覧表示においても、ジャンル毎の嗜好ポイントの高い順番に並び換えて表示するようにしてもよく、さらに、未視聴の録画番組の中で、特定のジャンルのみを一括で選択できるようにし、選択されたジャンル内で嗜好ポイントの高い順番にダイジェスト再生するようにしてもよい。
【００５７】
また、ユーザが未視聴の録画番組の一覧表示上で選択した録画番組のみについて、嗜好順序リストを作成し、その嗜好順序リストの順番で連続してダイジェスト再生するようにしてもよい。
【００５８】
また、本実施の形態では、連続ダイジェスト再生中に、停止指示があると、ダイジェスト再生を終了する例で説明したが、停止指示だけでなく、ユーザからの次の録画番組へのスキップ指示などにより、現在再生中の録画番組のダイジェスト再生を停止し、その再生時間により、嗜好データ２１０への追加をした後、次の番組のダイジェスト再生を行うようにしてもよい。
【００５９】
また、本実施の形態では、ハイライト再生手段３７０により、録画番組２２０のデータにおける画像情報の重要度を解析し、重要度の高いハイライトシーンのみをダイジェスト再生しているが、この連続のダイジェスト再生の際、録画番組のジャンルなどの情報により、そのダイジェスト再生の再生時間の設定や、ハイライトシーンの抽出方法の設定を換えてダイジェスト再生を行うようにしてもよい。
【００６０】
本実施の形態では、嗜好データの更新を録画番組の視聴履歴で行う例を説明したが、ＥＰＧや放送波に含まれる番組情報を基にした、受信中に視聴している放送番組の視聴履歴から嗜好データの更新を行うようにしてもよい。
【産業上の利用可能性】
【００６１】
本発明は、ＴＶ放送を録画し再生することが可能なＴＶ放送録画装置に関し、ＴＶ放送を録画するプレイヤー、レコーダー、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）、携帯電話等の機器に広く適用可能である。
【図面の簡単な説明】
【００６２】
【図１】本発明の一実施の形態に係るＴＶ放送録画装置の構成を示す構成図である。
【図２】本発明の一実施の形態に係るＴＶ放送録画装置の内蔵記録装置内に格納される番組情報の一例を示す図である。
【図３】本発明の一実施の形態に係るＴＶ放送録画装置の未視聴番組検出手段が作成する未視聴番組リストの一例を示す図である。
【図４】本発明の一実施の形態に係るＴＶ放送録画装置の嗜好順序判定手段が作成する嗜好順序リストの一例を示す図である。
【図５】本発明の一実施の形態に係るＴＶ放送録画装置の録画番組一覧表示手段が表示部に表示する一覧表示の一例を示す図である。
【図６】本発明の一実施の形態に係るＴＶ放送録画装置の未視聴番組を連続再生する際の動作を示すフローチャートである。
【符号の説明】
【００６３】
１…フォルダ表示エリア、２…録画番組表示エリア、３…サムネイル表示、４…番組情報表示、１０…フォルダ追加ボタン、１１…フォルダ削除ボタン、１２…更新ボタン、２１…詳細ボタン、２２…削除ボタン、２３…ＳＤ書き込みボタン、２４…ディスク作成ボタン、２５…再生ボタン、２６…ダイジェスト再生ボタン、２７…連続再生指定ボタン、２８…フォルダ内連続再生指定ボタン、１００…入力部、１１０…表示部、１２０…通信部、１３０…チューナ部、２００…内蔵記録装置、２１０…嗜好データ、２２０…録画番組、２３０…番組情報、２４０…番組表データ、３００…システムプロセッサ、３１０…番組表データ受信手段、３２０…番組記録手段、３３０…番組嗜好蓄積手段、３４０…未視聴番組検出手段、３５０…嗜好順序判定手段、３６０…録画番組一覧表示手段、３７０…ハイライト再生手段。
【図１】
2008066777.tif 000003
【図２】
2008066777.tif 000004
【図３】
2008066777.tif 000005
【図４】
2008066777.tif 000006
【図５】
2008066777.tif 000007
【図６】
2008066777.tif 000008